(57)【要約】【課題】  単一の物品として構成されながら、清掃対象に付着した塵埃の吹き飛ばし及び払い落としの二つの機能によって清掃対象を円滑且つ効率的に清掃することのできる清掃具を提供する。【解決手段】  清掃具１は、弾性素材からなる中空の本体部２と、本体部２の一方の端部２Ａに設けられて本体部２内の空気を吹出すノズル部３と、本体部２の、ノズル部３の設けられた側とは反対側の他の一方の端部２Ｂに設けられたブラシ部４とから構成される。【選択図】図１
2018001146.tif 000002
【特許請求の範囲】
【請求項１】
弾性素材からなる中空の本体部と、前記本体部の一方の端部に設けられて前記本体部内の空気を吹出すノズル部と、前記本体部の、前記ノズル部の設けられた側とは反対側の他の一方の端部に設けられたブラシ部とからなることを特徴とする清掃具。
【請求項２】
前記ブラシ部は、そのブラシ毛が前記一方の端部と前記他の一方の端部とを通る軸線の方向に合わせて前記本体部に設けられていることを特徴とする、  請求項１に記載の清掃具。
【請求項３】
前記ブラシ部は、前記本体部の前記他の一方の端部に着脱自在に設けられていることを特徴とする、請求項１又は２に記載の清掃具。
【発明の詳細な説明】
【技術分野】
【０００１】  本発明は有体物に付着している塵埃を除去する清掃具に関する。
【背景技術】
【０００２】  日常的に使用される、例えば、コンピューターのキーボード等の事務用機器、カメラ、そのレンズ等の光学製品等（以下、「清掃対象」という。）は、全体をカバー等で覆うことなく室内等に置かれることが多く、その結果、清掃対象の表面にゴミ、埃等（以下、「塵埃」という。）が付着し、その物品の機能、美観を損ねたりする。そのため、塵埃を除去する清掃具として、清掃対象に空気を吹き付けて塵埃を吹き飛ばすことにより除去するブロア、付着した塵埃を毛の先端部で払い落とすブラシ等が知られている。
【先行技術文献】
【特許文献】
【０００３】
【特許文献１】  特開２００６−１０９２６１号  公報
【特許文献２】  実用新案登録第３１７３９７４号  公報
【発明の概要】
【発明が解決しようとする課題】
【０００４】  本発明は、単一の物品として構成されながら、清掃対象に付着した塵埃の吹き飛ばし及び払い落としの二つの機能によって清掃対象を円滑且つ効率的に清掃することのできる清掃具を提供することを第一の目的とする。【０００５】  本発明の第二の目的は、清掃対象に付着した塵埃を除去する作業をより円滑且つ効率的に行うことのできる清掃具を提供することを目的とする。【０００６】  本発明の第三の目的は、清掃対象に付着した塵埃に対して、清掃対象の構造、状況等に相応しい清掃方法をも実施することのできる清掃具を提供することを目的とする。
【課題を解決するための手段】
【０００７】  本発明において、前記第一の課題を解決するための手段は、清掃具を、弾性素材からなる中空の本体部と、前記本体部の一方の端部に設けられて前記本体部内の空気を吹出すノズル部と、前記本体部の、前記ノズル部の設けられた側とは反対側の他の一方の端部に設けられたブラシ部とから構成したことを特徴とするものである。【０００８】  また、本発明において、第二の課題を解決するための手段は、第一の解決手段としての構成を具えた清掃具において、前記ブラシ部は、そのブラシ毛が前記一方の端部と前記他の一方の端部とを通る軸線の方向に合わせて前記本体部に設けられていることを特徴とするものである。【０００９】  本発明において、第三の課題を解決するための手段は、第一又は第二の解決手段としての構成を具えた清掃具において、前記ブラシ部は、前記本体部の前記他の一方の端部に着脱自在に設けられていることを特徴とするものである。
【発明の効果】
【００１０】  本発明は、前述したような課題解決手段により、次のような効果を奏する。即ち、第一の課題解決手段によれば、清掃対象を円滑且つ効率的に清掃することができる。【００１１】  第二の課題解決手段によれば、清掃対象に付着した塵埃を除去する作業をより円滑且つ効率的に行うことができる。【００１２】  第三の課題解決手段によれば、清掃対象の構造、状況等に相応しい清掃方法をも実施することができる。
【図面の簡単な説明】
【００１３】
【図１】  本発明の一つの実施の形態に係る清掃具を一部破断して示す正面図
【図２】  前記清掃具の側面図
【図３】  図１中ＩＩＩ−ＩＩＩ線拡大断面図
【図４】  前記清掃具におけるブラシ部の一使用例を示す拡大断面図
【発明を実施するための形態】
【００１４】  以下、本発明の一つの実施の形態について、添付図面を参照しながら説明する。
【００１５】  図中、符号１によって示される清掃具は、本体部２と、ノズル部３と、ブラシ部４とから、単一の物品として構成されている。
【００１６】  詳しく述べると、本体部２は、弾性素材例えばゴムからなり、且つ、例えば、手で握るのに適した寸法の、中空の楕円球状の膨満部２Ｃと、その長手方向（図１中紙面に向かって左右の方向）の両側にそれぞれ突出させて形成した端部２Ａ，２Ｂとからなっている。
【００１７】  端部２Ａ，２Ｂのうち一方の端部２Ａにはノズル部３が設けられている。ノズル部３の一方の端部３Ａ即ち先端部は膨満部２Ｃ内の空気を吹き出すための吹出口３Ｂとなっており、他の一方の端部３Ｃは膨満部２Ｃの内部空間２Ｄと連通している。
【００１８】  また、本体部２の、ノズル部３の設けられた側とは反対側の他の一方の端部２Ｂにはブラシ部４が、次に述べるように、着脱自在に設けられている。
【００１９】  詳しく述べると、この端部２Ｂは、円筒状で、膨満部２Ｃに比し小さな外径で肉厚に形成され、ノズル部３とは反対方向に突出して形成されている。
【００２０】  また、端部２Ｂには、図３に示すように、本体部２の内部と外部とを連通させる貫通口６Ａが形成された、例えばゴム製の通気栓６が嵌め込まれている。通気栓６の、膨満部２Ｃの内部空間２Ｄ側に向く面には、貫通口６Ａを開閉する逆流防止弁８が設けられている。逆流防止弁８は、常時貫通口６Ａを閉じた状態にあり、本体部２の膨満部２Ｃを握った時は、膨満部２Ｃから押し出される空気に押されて通気栓６の貫通口６Ａを閉じた状態に保って、膨満部２Ｃからの空気がノズル３から吹き出される際に、貫通口から外部に抜けるのを防ぎ、逆に、膨満部２Ｃから手、指を離した時は、膨満部２Ｃがその弾性により原形に復帰しようとする際に、貫通口６Ａから本体部２外の空気が吸い込まれると共に開いて、膨満部２Ｃの復帰を容易にする。
【００２１】  一方、ブラシ部４は、ブラシ毛４Ａとこれを支持する支持部材４Ｂとからなっている。支持部材４Ｂは、例えば、ブラシ毛４Ａが接合される平坦部４Ｃと、平坦部４Ｃに連なる円筒状の側壁４Ｄとからなっている。平坦部の中央部には透孔４Ｅが形成されている。透孔４Ｅは、後述するように、本体部２の他の一方の端部２Ｂにブラシ部４の支持部材４Ｂが嵌め合わされた状態で、膨満部２Ｃの圧縮及び復帰時に通気栓６の逆流防止弁８の動作を阻害しないようにするためのものである。
【００２２】  このような平坦部４Ｃに連なる側壁４Ｄの内径は本体部２の前述の端部２Ｂより極く僅か小さくして、支持部材４Ｂの側壁４Ｄが、弾性素材からなる本体部２の前記他の一方の端部２Ｂを軸直角方向に圧縮した状態で、端部２Ｂに嵌め合わされて一体化できるようになっている。これにより、本体部２とブラシ部４を結合した状態で使用するときに、自然に又は僅かな外力によっては両者が容易に分離してしまうことがないようになっている。逆に、このような嵌め合わせにより、ブラシ部４は、側壁４Ｄに若干の力を作用させれば、端部２Ｂより引き抜き、本体部２から離脱させることができる。
【００２３】  一方、支持部材４Ｂに設けられるブラシ毛４Ａは、例えば、絵筆、毛筆、化粧ブラシ等に使用されるような細毛が素材として用いられる。また、ブラシ毛４Ａは、静電気により塵埃を吸着させる性質を具えたものを使用することもできる。
【００２４】  そして、ブラシ毛４Ａは、この実施の形態においては、図示されているように、本体部２の一方の端部２Ｂに嵌め合わされた支持部材４Ｂの平坦部４Ｃに、本体部２の一方の端部２Ａと他の一方の端部２Ｂとを通る軸線Ｌの方向に合わせて接合されている。この実施の形態においては、「軸線の方向に合わせて」ブラシ毛４Ａが接合される一例として、支持部材４Ｂの平坦部４Ｃに根元部が接合されたブラシ毛４Ａが、その先端方向に向かって放射状に拡散するような形態が図示されている。また、ブラシ毛４Ａは、図２に示されるように、平坦部４Ｃに、その透孔４Ｅ部分を除いて円環状に接合されている。
【００２５】  このような実施の形態によれば、清掃対象の清掃に関して、次のように、従来の清掃方法に比し、使用時のみならず収納・保管時等においても実用上極めて好都合な利点が得られる。
【００２６】  即ち、従来は、清掃対象を清掃する場合に、まず、別々の二つの清掃用物品として存在しているブロア及びブラシを、その収納・保管場所等から取り出して手元に移動し、清掃の対象周りに置く。そして、清掃対象に付着した塵埃を吹き飛ばし又は払い落とす作業をする際には、塵埃の吹き飛ばし又は払落しに応じてブロア又はブラシをいちいち持ち替えなければならない。また、作業中にブロア又はブラシを互いに離れた場所に置いてしまった場合には、それを使用する際に、清掃対象の近辺等を探す煩わしさがある。そのため、清掃作業の流れ、効率が悪くなる。また、清掃対象物を机上、作業台等に置かずに一方の手で持ちながら清掃をする場合には、他の一方の手でブロア又はブラシを持ち替えなければならないから、作業効率は極めて悪い。更に、清掃を終えてブロア及びブラシを収納・保管等をする際にも、二つの物品であるから、収納スペースへの収納バランスを考えながら取り扱わなければならない。このように、従来は、清掃の準備段階から終了時まで終始二つの清掃用物品が散逸したりしないように注意を向けながら取り扱わなければならないという煩わしさが常に付きまとっている。
【００２７】  これに対して、本発明の清掃具１は、本体部２にノズル部３と共にブラシ部４が設けられた、単一の物品として構成されているから、清掃のための全ての段階、即ち、収納場所から取り出して清掃の対象物周りに置く準備段階、清掃作業をする段階、清掃終了後に収納場所に戻す段階の全てにおいて、常に一つの物品としての清掃具に注意を向けて取り扱うだけでよく、従来のような、二つの清掃具を取り扱うことから生じる煩わしさがなく、従って、その分、気が散らず、各段階における作業に集中しやすくなるから、作業効率が上がり、また、収納・保管のための作業も簡単になる。
【００２８】  前述の実施の形態に即して言えば、この清掃具１は、本体部２の一方の側にノズル部３が、他の一方の側にブラシ部４が設けられた一つの物品として構成されているから、清掃対象に付着した塵埃を吹き飛ばし又は払い落とす作業の双方を行う必要がある場合にも、本体部２をいちいち持ち替えずに握ったままで手首を回すだけで、瞬時にノズル部３又はブラシ部４を対象物に向けることができるので、当該作業を極めて円滑に且つ速く進めることができる。
【００２９】  仮に、例えば、本体部２を握ったままで手首を回すことが困難なために本体部２を握り替える必要があるような場合でも、従来のように別の清掃具を手にとる場合と異なり、現に使用中の同一物である清掃具１を、ノズル部３又はブラシ部４のうち使用しようとする方に注意を向けて持ち替えるだけでよいから、極く簡単にノズル部３又はブラシ部４による、必要とする清掃作業に移行することができる。
【００３０】  また、清掃対象物を机上、作業台等に置かずに一方の手で持ちながら清掃をしたい場合でも、この清掃具１によれば、他の一方の手で本体部２を握ったまま手首を回すだけで塵埃をノズル部３により吹き飛ばし、ブラシ部４で払い落とすことができるから、他の一方の手で清掃対象を次々と変えながら清掃をする作業を迅速に行うことができる。
【００３１】  そして、清掃具１においては、ブラシ部４のブラシ毛４Ａは、本体部２の一方の端部２Ａと他の一方の端部２Ｂとを通る軸線Ｌの方向に合わせて設けられているから、本体部２に対して軸周りの３６０度全ての方向から同じ位置にあり、従って、本体部２を握ってブラシ部４を清掃対象に当てる際に、清掃対象に対してブラシ毛４Ａがいずれの方向を向いているかをいちいち確認する必要がない、従って、本体部２を握った後に指先で軸方向回りに回してブラシ毛４Ａの方向を確認するというような煩わしさがなく、作業を円滑に進められる、という点でも使い勝手が良いものである。
【００３２】  前述のように、清掃具１は使用等の際に、本体部２、ノズル部３及びブラシ部４を有する一つの物品として極めて便利に取り扱うことができるが、この実施の形態のように、ブラシ部３を本体部２に対して着脱自在に設けることにより、清掃対象の構造、状況等によってノズル部３から空気を吹き付けると同時にブラシ毛４Ａで払い落として塵埃を迅速に除去したいような場合には、ブラシ部３を本体部２から取外して、一方の手で本体部２を握ってノズル部３から空気を対象物に向かって吹き出させ、他の一方の手でブラシ部４を持ってそのブラシ毛４Ａを対象物に当てて塵埃を払い落とすという二つの作業を同時に行うことができ、至って便利である。
【００３３】  なお、支持部材４Ｂの側壁４Ｄは、前述したように、筒状であるから、図４に示すように、側壁４Ｄの内部空間に、例えば、クリーニングクロスのような清掃用材１０を適当量押し込んで一部を側壁４Ｄから露出させるようにすれば、支持部材４Ｂを指で摘んで、前記露出部分を清掃対象に当てて汚れを拭き取るようなこともでき、一層の清掃効果を上げることができる。
【００３４】  本発明に係る清掃具は、前述の実施の形態において示されたものに限られず、次のような種々の変形が可能である。例えば、ａ）本体部の形状は楕円球ではなく、真円球でもよい。ｂ）本体部の、軸線に直交する断面は、前記楕円球又は真円球の場合には真円の形状となるが、これに限られず、扁平な中空断面となるように形成することもできる。ｃ）本体部は前記の実施の形態において示したような球状ではなく、例えば、矩形の箱型の形状とすることもできる。ｄ）本体部の、ブラシ部の設けられる端部及びこれと結合される支持部材の筒状部の各断面形状は円に限られず、正方形等の多角形でもよい。ｅ）ブラシ部のブラシ毛は、前述の実施の形態においては、軸線方向に合わせた形態として、支持部材の平坦部に接合された根元部から先端方向に向かって放射状に拡開しているが、これに替えて、ブラシ毛を全て軸線と平行に並列させるような形態とすることもできる。
【００３５】  本発明による清掃具は、前述したキーボード、カメラ等に限定されるものではなく、広く生活上、業務上等諸々の分野において塵埃の付着する有体物をも清掃の対象とすることができる。
【符号の説明】
【００３６】  １  清掃具
２  本体部
２Ａ  本体部の一方の端部
３  ノズル部
２Ｂ  本体部の他の一方の端部
４  ブラシ部
Ｌ  軸線
【図１】
2018001146.tif 000003
【図２】
2018001146.tif 000004
【図３】
2018001146.tif 000005
【図４】
2018001146.tif 000006